(57)【要約】【課題】ヘルムホルツ共鳴空間を形成する壁部の少なくとも一部が音源部材によって構成されたヘルムホルツ共鳴器を備える防音装置において、気柱共鳴に起因する防音効果の低下を抑制する。【解決手段】本発明に係る防音装置１０は、ヘルムホルツ共鳴空間１４を形成する壁部１６と、ヘルムホルツ共鳴空間１４を外部に連通させるように壁部１６に設けられた第１開口部２０と、を有するヘルムホルツ共鳴器１２を備える。壁部１６の少なくとも一部は、音を放射する音源部材４によって構成されている。ヘルムホルツ共鳴器１２は、ヘルムホルツ共鳴空間１４を複数の領域１４ａ〜１４ｃに分割するように形成された１つ以上の隔壁２２と、複数の領域１４ａ〜１４ｃを互いに連通させるように１つ以上の隔壁２２に設けられた第２開口部２４と、を含む。【選択図】図５
2020109451.tif 000002
【特許請求の範囲】
【請求項１】
ヘルムホルツ共鳴空間を形成する壁部と、
前記ヘルムホルツ共鳴空間を外部に連通させるように前記壁部に設けられた第１開口部と、
を有するヘルムホルツ共鳴器を備える防音装置であって、
前記壁部の少なくとも一部は、音を放射する音源部材によって構成されており、
前記ヘルムホルツ共鳴器は、
前記ヘルムホルツ共鳴空間を複数の領域に分割するように形成された１つ以上の隔壁と、
前記複数の領域を互いに連通させるように前記１つ以上の隔壁に設けられた第２開口部と、
を含むことを特徴とする防音装置。
【請求項２】
前記ヘルムホルツ共鳴空間は、第１方向と、前記第１方向よりも短い第２方向とを含み、
前記１つ以上の隔壁のうちの少なくとも１つは、前記第１方向に対して垂直な方向に延びるように形成されている
ことを特徴とする請求項１に記載の防音装置。
【請求項３】
前記１つ以上の隔壁は、複数の隔壁を含み、
前記複数の隔壁は、不等間隔で設置されている
ことを特徴とする請求項１又は２に記載の防音装置。
【請求項４】
前記複数の領域は、第１領域と、前記第１領域の外側に位置する１又は複数の第２領域とを含み、
前記第１領域は、前記１つ以上の隔壁のうちの少なくとも１つを介して、前記第２領域によって全体的に覆われている
ことを特徴とする請求項１に記載の防音装置。
【請求項５】
前記１つ以上の隔壁は、ハニカム状の断面形状を有する
ことを特徴とする請求項１又は４に記載の防音装置。
【発明の詳細な説明】
【技術分野】
【０００１】
この発明は、防音装置に関し、より詳細には、ヘルムホルツ共鳴を利用した防音装置に関する。
【背景技術】
【０００２】
特許文献１には、ヘルムホルツ共鳴器を備える防音装置が開示されている。このヘルムホルツ共鳴器は、空洞（ヘルムホルツ共鳴空間）の一部分を外部に連通させる開口部を備えている。この共鳴空間内には、防音対象である発音部位（音源）が配置されている。このように構成されたヘルムホルツ共鳴器によれば、音源をヘルムホルツ共鳴器の内側に存在させることにより、次のような効果が得られる。すなわち、ヘルムホルツ共鳴周波数よりも高い周波数の音が発生した場合、ヘルムホルツ共鳴器の開口部の空気の慣性効果によって、共鳴空間内の音がその外部に伝播しにくくなる。その結果、ヘルムホルツ共鳴周波数よりも高周波側に位置する広い周波数帯域において防音効果を発揮できる。
【先行技術文献】
【特許文献】
【０００３】
【特許文献１】国際公開第２０１２／１４４０７８号
【発明の概要】
【発明が解決しようとする課題】
【０００４】
特許文献１に記載のヘルムホルツ共鳴器のように、ヘルムホルツ共鳴空間を形成する壁部の少なくとも一部を音源部材によって構成することにより、ヘルムホルツ共鳴周波数よりも高周波側に位置する広い周波数帯域において防音効果を発揮できる。その一方で、ヘルムホルツ共鳴空間内には気柱共鳴が存在する。その結果、気柱共鳴周波数及びその付近の周波数帯域において、防音効果が低下する可能性がある。
【０００５】
本発明は、上述のような課題に鑑みてなされたものであり、その目的は、ヘルムホルツ共鳴空間を形成する壁部の少なくとも一部が音源部材によって構成されたヘルムホルツ共鳴器を備える防音装置において、気柱共鳴に起因する防音効果の低下を抑制することにある。
【課題を解決するための手段】
【０００６】
本発明に係る防音装置は、ヘルムホルツ共鳴空間を形成する壁部と、前記ヘルムホルツ共鳴空間を外部に連通させるように前記壁部に設けられた第１開口部と、を有するヘルムホルツ共鳴器を備える。前記壁部の少なくとも一部は、音を放射する音源部材によって構成されている。前記ヘルムホルツ共鳴器は、前記ヘルムホルツ共鳴空間を複数の領域に分割するように形成された１つ以上の隔壁と、前記複数の領域を互いに連通させるように前記１つ以上の隔壁に設けられた第２開口部と、を含む。
【０００７】
前記ヘルムホルツ共鳴空間は、第１方向と、前記第１方向よりも短い第２方向とを含んでもよい。そして、前記１つ以上の隔壁のうちの少なくとも１つは、前記第１方向に対して垂直な方向に延びるように形成されてもよい。
【０００８】
前記１つ以上の隔壁は、複数の隔壁を含んでもよい。そして、前記複数の隔壁は、不等間隔で設置されてもよい。
【０００９】
前記複数の領域は、第１領域と、前記第１領域の外側に位置する１又は複数の第２領域とを含んでもよい。そして、前記第１領域は、前記１つ以上の隔壁のうちの少なくとも１つを介して、前記第２領域によって全体的に覆われてもよい。
【００１０】
前記１つ以上の隔壁は、ハニカム状の断面形状を有してもよい。
【発明の効果】
【００１１】
本発明に係る防音装置が備えるヘルムホルツ共鳴器は、ヘルムホルツ共鳴空間を複数の領域に分割するように形成された１つ以上の隔壁を含む。そして、当該複数の領域は、第２開口部によって互いに連通している。このような隔壁の設置により、ヘルムホルツ共鳴空間内の特定の方向における気柱の長さが短縮される。気柱の長さが短縮すると、気柱共鳴周波数が高くなる。このため、気柱共鳴に起因する音響パワーレベルのピークを高周波側にシフトさせることができる。これにより、低周波帯域において気柱共鳴に起因する防音効果の低下を抑制することができる。
【図面の簡単な説明】
【００１２】
【図１】本発明に係る防音装置において前提とする防音原理を利用するヘルムホルツ共鳴器の形状例を模式的に表した断面図である。
【図２】図１に示すヘルムホルツ共鳴器による防音効果を説明するためのグラフである。
【図３】気柱共鳴に起因する課題を説明するためのグラフである。
【図４】本発明の実施の形態１に係る防音装置が備えるヘルムホルツ共鳴器の構成を模式的に表した斜視図である。
【図５】図４中に示すＡ−Ａ線で切断されたヘルムホルツ共鳴器の断面図である。
【図６】図５に示す音源部材の側から防音カバーを見た図である。
【図７】隔壁の設置による気柱共鳴周波数の増加に伴う防音性能の向上効果を説明するためのグラフである。
【図８】本発明の実施の形態１に関する第１の変形例に係るヘルムホルツ共鳴器の構成を説明するための模式図である。
【図９】本発明の実施の形態１に関する第２の変形例に係るヘルムホルツ共鳴器の構成を説明するための模式図である。
【図１０】本発明の実施の形態２に係る防音装置が備えるヘルムホルツ共鳴器の断面図である。
【図１１】図１０に示す音源部材の側から防音カバーを見た図である。
【図１２】本発明の実施の形態３に係る防音装置が備えるヘルムホルツ共鳴器の断面図である。
【図１３】図１２に示す音源部材の側から防音カバーを見た図である。
【図１４】複数の隔壁を不等間隔で設置したことによる効果を説明するためのグラフである。
【図１５】本発明の実施の形態４に係る防音装置が備えるヘルムホルツ共鳴器の断面図である。
【図１６】本発明の実施の形態５に係る防音装置が備えるヘルムホルツ共鳴器の断面図である。
【図１７】本発明に係る他のヘルムホルツ共鳴器の構成を模式的に表した断面図である。
【図１８】本発明に係る他のヘルムホルツ共鳴器の構成を模式的に表した断面図である。
【図１９】本発明に係る他のヘルムホルツ共鳴器の構成を模式的に表した断面図である。
【図２０】本発明に係る他のヘルムホルツ共鳴器の構成を模式的に表した断面図である。
【図２１】本発明に係る他のヘルムホルツ共鳴器の構成を模式的に表した断面図である。
【図２２】本発明に係る他のヘルムホルツ共鳴器の構成を模式的に表した断面図である。
【図２３】本発明に係る他のヘルムホルツ共鳴器の構成を模式的に表した断面図である。
【図２４】本発明に係る他のヘルムホルツ共鳴器の構成を模式的に表した断面図である。
【図２５】本発明に係る他のヘルムホルツ共鳴器の構成を模式的に表した断面図である。
【発明を実施するための形態】
【００１３】
以下、添付図面を参照して、本発明の実施の形態について説明する。ただし、各図において共通する要素には、同一の符号を付して重複する説明を省略又は簡略する。以下に示す実施の形態において各要素の個数、数量、量、範囲等の数に言及した場合、特に明示した場合や原理的に明らかにその数に特定される場合を除いて、その言及した数に、この発明が限定されるものではない。また、以下に示す実施の形態において説明する構造等は、特に明示した場合や明らかに原理的にそれに特定される場合を除いて、この発明に必ずしも必須のものではない。
【００１４】
［前提とするヘルムホルツ共鳴器の防音原理］
図１は、本発明に係る防音装置において前提とする防音原理を利用するヘルムホルツ共鳴器の形状例を模式的に表した断面図である。なお、図１中で破線の枠によって特定された空間は、本防音原理を利用するヘルムホルツ共鳴器のヘルムホルツ共鳴空間Ｈに相当する。このことは、図５以降の各構成例においても同様である。
【００１５】
図１に示すヘルムホルツ共鳴器１は、ヘルムホルツ共鳴空間Ｈの一例に相当するヘルムホルツ共鳴空間（以下、単に「共鳴空間」と略する場合がある）２を有する。ヘルムホルツ共鳴器１は、共鳴空間２を形成する壁部として、防音カバー３と音源部材４とを利用している。すなわち、ヘルムホルツ共鳴器１では、共鳴空間２を形成する壁部の一部が音源部材４によって構成されている。また、ヘルムホルツ共鳴器１は、共鳴空間２の一部分を外部に連通させるための開口部５を備えている。なお、共鳴空間２を形成する壁部の一部ではなく、その全体が音源部材によって構成されてもよい。
【００１６】
より詳細には、図１に示す一例では、防音カバー３は、音源部材４に対向する底部が開口した直方体形状を有しているものとする。そして、この例では、開口部５は、防音カバー３の縁部３ａと音源部材４との隙間を利用して形成されている。防音カバー３を音源部材４の上に設置するために、縁部３ａの一部は、音源部材４と接するように延長されてもよい（例えば、後述の図４に示す例参照）。或いは、防音カバー３は、縁部３ａの全体が音源部材４から離れるように支持部材（図示省略）によって支持されてもよい。
【００１７】
ヘルムホルツ共鳴器１の共鳴周波数（ヘルムホルツ共鳴周波数）ｆ０は、以下の（１）式によって特定される。
ｃ：音速（ｍ／ｓ）
Ｖ：ヘルムホルツ共鳴器（共鳴空間）の容積（ｍ３）
Ｓ：開口部の面積（長さＬの方向と垂直な方向から見たときの開口面積）（ｍ２）
Ｌ：開口部の長さ（ｍ）
δ１：開口端補正係数（ヘルムホルツ共鳴器の形状に応じて定まる補正値であり、実験的に求められる値）
【数１】
2020109451.tif 000003
【００１８】
ヘルムホルツ共鳴器１の各部の寸法（（１）式中の容積Ｖ、面積Ｓ及び長さＬ）を適切に決定することにより、所望のヘルムホルツ共鳴周波数ｆ０を有するヘルムホルツ共鳴空間Ｈを得ることができる。
【００１９】
図２は、図１に示すヘルムホルツ共鳴器１による防音効果を説明するためのグラフである。図２は、ヘルムホルツ共鳴器１の入力周波数（音源部材４からの放射音の周波数（Ｈｚ））と、当該放射音の増幅率（ｄＢ）との関係を示している。ヘルムホルツ共鳴器１では、共鳴空間２に入力された放射音の共鳴は共鳴周波数ｆ０において発生する。このため、図２に示すように、放射音は、共鳴周波数ｆ０をピークとしてその近傍の周波数帯域において増幅される。その一方で、当該周波数帯域よりも高い高周波数帯域（すなわち、図２に示す境界周波数ｆａよりも高い高周波数帯域）では、増幅率は、０ｄＢを下回り、かつ、入力される放射音の周波数が高いほど低下する。これは、上記の高周波数帯域においては、開口部５内の空気の慣性効果によって、ヘルムホルツ共鳴器１の内側（すなわち、共鳴空間２内）の放射音がヘルムホルツ共鳴器１の外側に伝播しにくくなるためである。
【００２０】
したがって、上述の防音原理に従うヘルムホルツ共鳴器１によれば、共鳴周波数及びその近傍の狭い周波数帯域でしか防音効果が得られない一般的なヘルムホルツ共鳴器（例えば、特開２００１−０４１０２０号公報に記載のように、ヘルムホルツ共鳴空間を形成する壁部として音源部材を利用しない構成のヘルムホルツ共鳴器）と比べて、より広い周波数帯域で防音効果を得ることができる。なお、本発明において前提とする防音原理の詳細については、国際公開第２０１２／１４４０７８号に記載されている。
【００２１】
（ヘルムホルツ共鳴空間Ｈに関する補足説明）
上述のように、本防音原理に従うヘルムホルツ共鳴器の「ヘルムホルツ共鳴空間Ｈ」は、少なくとも一部が音源部材である壁部によって形成され、かつ、当該壁部に設けられた第１開口部を介して外部と連通可能な空間である。そして、このようなヘルムホルツ共鳴空間Ｈを備えるヘルムホルツ共鳴器によれば、図２を参照して説明したように、（１）式により特定されるヘルムホルツ共鳴周波数ｆ０よりも高周波側の周波数帯域において防音効果（音圧低減効果）が得られる。したがって、本防音原理を利用するヘルムホルツ共鳴空間Ｈは、ヘルムホルツ共鳴周波数ｆ０よりも高周波側の周波数帯域（より詳細には、境界周波数ｆａよりも高い高周波数帯域）において防音効果を備える空間であるといえる。
【００２２】
（音源部材に関する補足説明）
本発明に係る「音源部材」は、音を放射する部材であり、より詳細には、当該音の発生源（すなわち、強制源）から伝達される振動を空気中に音として放射する部材である。内燃機関の例では、燃焼が行われる燃焼室が強制源の一例に相当する。そして、燃焼室からの振動を音として空気中に放射するシリンダヘッド又はシリンダブロック等の部材が「音源部材」の一例に相当する。また、変速機の例では、変速機の内部に配置されたギヤ又はオイルポンプが強制源の一例に相当し、変速機のハウジングが「音源部材」の一例に相当する。なお、音源部材は、ここで例示した内燃機関及び変速機等の車両に搭載された装置に限られない。
【００２３】
なお、ヘルムホルツ共鳴空間Ｈを形成する壁部のうちの音源部材以外の部位（例えば、防音カバー）は、図１に示す例のように音源部材の一部分に対して設けられてもよい。或いは、当該壁部のうちの音源部材以外の部位は、当該壁部の一部を構成する音源部材の全体を覆うように形成されてもよい。
【００２４】
［気柱共鳴に起因する課題］
図１に示すヘルムホルツ共鳴器１の共鳴空間２内では、音源部材４からの放射音の周波数と気柱（共鳴空間２内の空気）の共鳴周波数とが等しくなると、気柱共鳴が発生する。より詳細には、音源部材４からの放射音は、共鳴空間２内で３次元的に伝播する。ここで、ヘルムホルツ共鳴器１内のある方向における長さＤ［ｍ］の気柱を考えたとき、当該気柱の共鳴周波数（気柱共鳴周波数）ｆ１［Ｈｚ］は、以下の（２）式によって特定される。
ｃ：音速（ｍ／ｓ）
δ２：開口端補正係数（実験的に求められる値）
【数２】
2020109451.tif 000004
【００２５】
図３は、気柱共鳴に起因する課題を説明するためのグラフであり、音響パワーレベル［ｄＢ（Ａ）］と周波数［Ｈｚ］との関係を表している。より詳細には、図３では、図１に示すヘルムホルツ共鳴器１を有しない例と当該ヘルムホルツ共鳴器１を有する例との間で、音源部材４からの放射音の音響パワーレベルが比較されている。
【００２６】
図２を参照して既述したヘルムホルツ共鳴器１の効果により、音響パワーレベルは、図３に示すように、ヘルムホルツ共鳴周波数ｆ０及びその付近において増幅されるが、共鳴周波数ｆ０よりも高い高周波数帯域では低減する。しかしながら、共鳴空間２内の気柱共鳴の影響により、気柱共鳴周波数ｆ１及びその付近の周波数帯域において音響パワーレベルが例えば図３に示すように増加する。その結果、ヘルムホルツ共鳴器１による上述の防音効果が低下してしまう。なお、図３では省略されているが、気柱共鳴に起因する音響パワーレベルのピークは、気柱共鳴周波数ｆ１だけでなく、気柱共鳴周波数ｆ１よりも高周波側においても繰り返し（より詳細には、気柱共鳴周波数ｆ１の自然数倍の各周波数で）発生する。付け加えると、図３においては、共鳴空間２内の特定の方向の気柱共鳴の影響を例示的に示している。
【００２７】
図１に示す原理を有するヘルムホルツ共鳴器を利用して高い防音効果を得るためには、上述の気柱共鳴に起因する防音効果の低下を抑制できることが望まれる。このような課題に鑑み、以下の各実施の形態に係る防音装置が提供される。
【００２８】
１．実施の形態１
図４〜図９を参照して、本発明の実施の形態１及びその変形例について説明する。
【００２９】
１−１．ヘルムホルツ共鳴器の構成
図４は、本発明の実施の形態１に係る防音装置１０が備えるヘルムホルツ共鳴器１２の構成を模式的に表した斜視図である。図５は、図４中に示すＡ−Ａ線で切断されたヘルムホルツ共鳴器１２の断面図である。図６は、図５に示す音源部材４の側から防音カバー１８を見た図である。
【００３０】
図４に示すヘルムホルツ共鳴器１２は、ヘルムホルツ共鳴空間Ｈの一例に相当するヘルムホルツ共鳴空間１４を形成する壁部１６として、防音カバー１８とともに音源部材４を利用している。すなわち、ヘルムホルツ共鳴器１２においても、ヘルムホルツ共鳴器１と同様に、共鳴空間１４を形成する壁部１６の一部が音源部材４によって構成されている。また、ヘルムホルツ共鳴器１２は、第１開口部２０を備えている。第１開口部２０は、共鳴空間１４を外部に連通させるように壁部１６に設けられている。
【００３１】
より詳細には、防音カバー１８は、一例として防音カバー３と同様に、音源部材４に対向する底部が開口した直方体形状を有している。そして、第１開口部２０は、防音カバー１８の縁部１８ａと音源部材４との隙間を利用して形成されている。防音カバー１８を音源部材４の上に設置するために、防音カバー１８は、一例として、縁部１８ａの四隅のそれぞれ設けられた４つの脚部１８ｂを備えている。これらの脚部１８ｂは、一例として、ボルト（図示省略）を用いて音源部材に取り付けられているが、他の任意の取り付け方法（例えば、接着）が用いられてもよい。
【００３２】
防音カバー１８の材料として、例えば、金属材料（鉄、アルミニウム、ステンレス鋼又はマグネシウムなど）、プラスチック材料、又は多孔質材料（繊維系又はフォーム系など）を用いることができる。また、防音カバー１８の材料として、例えば、ここに例示された材料による単層材又は多層材が用いられても良い。これらのことは、他の実施の形態の防音カバーについても同様である。
【００３３】
さらに、ヘルムホルツ共鳴器１２は、図５、６に示すように、ヘルムホルツ共鳴空間１４を複数の領域（一例として、３つの領域１４ａ、１４ｂ、１４ｃ）に分割するように形成された平板状の２つの隔壁２２を備えている。より具体的には、２つの隔壁２２は、壁部１６からヘルムホルツ共鳴空間１４内に延びるように形成されている。本実施形態では、２つの隔壁２２は、それぞれ、音源部材４と対向する防音カバー１８の内壁から音源部材４の側に延びるように形成されている。そして、２つの隔壁２２は、図６に示すように、第１開口部２０を有する防音カバー１８の４つの側面のうちの互いに対向する２つの側面の内壁の間を繋ぐように延びている。また、それぞれの隔壁２２と音源部材４との間には、第２開口部２４が形成されている。換言すると、第２開口部２４は、３つの領域１４ａ〜１４ｃを互いに連通させるように隔壁２２のそれぞれに設けられている。
【００３４】
付け加えると、図６に示す形状例では、防音カバー１８の上記４つの側面の幅は、紙面左右方向の２つの側面の幅Ｌ１の方が、紙面上下方向の２つの側面の幅Ｌ２よりも長い。本実施形態では、音源部材４の側から見て、幅Ｌ１の方向と垂直な方向に延びるように２つの隔壁２２が形成されている。なお、幅Ｌ１の方向は本発明に係る「第１方向」の一例に相当し、幅Ｌ２の方向は本発明に係る「第２方向」の一例に相当する。
【００３５】
１−２．効果
以上説明したように、実施の形態１のヘルムホルツ共鳴器１２は、ヘルムホルツ共鳴空間１４を３つの領域１４ａ〜１４ｃに分割するように形成された２つの隔壁２２を備えている。そして、これらの３つの領域１４ａ〜１４ｃは、第２開口部２４によって互いに連通している。これにより、ヘルムホルツ共鳴器１２は、３つの領域１４ａ〜１４ｃのそれぞれをヘルムホルツ共鳴空間とし、かつ、これらのヘルムホルツ共鳴空間が互いに連通し合う３つのヘルムホルツ共鳴器１２ａ〜１２ｃとして機能するようになる。その結果、個々のヘルムホルツ共鳴器１２ａ〜１２ｃが図１に示す防音原理に従う防音効果を奏するだけでなく、次のような効果が得られる。
【００３６】
１−２−１．気柱共鳴周波数の増加
まず、実施の形態１のヘルムホルツ共鳴器１２によれば、次のような防音性能の向上効果（音圧低減効果）が得られる。すなわち、隔壁２２の設置により、図６中に示す幅Ｌ１の方向に延びる気柱の長さＤが短縮される。上述の（２）式より、気柱の長さＤの短縮は、気柱共鳴周波数ｆ１が高くなることを意味する。このように、隔壁２２によってヘルムホルツ共鳴空間１４を分割することにより、ヘルムホルツ共鳴器１２の全体を１つのヘルムホルツ共鳴器として見た場合、特定の方向（図６に示す例では、幅Ｌ１の方向）において生じる気柱共鳴の周波数ｆ１を高くすることができる。
【００３７】
図７は、隔壁２２の設置による気柱共鳴周波数の増加に伴う防音性能の向上効果を説明するためのグラフである。図７において、隔壁なしの例（比較例）のヘルムホルツ共鳴器（以下、便宜上、「ヘルムホルツ共鳴器Ａ」と称する）は、ヘルムホルツ共鳴器１２から２つの隔壁２２を取り除いたものに相当する。この比較例に関する音響パワーレベルのピークＡ１は、図１に示す防音原理に従うヘルムホルツ共鳴器Ａによるヘルムホルツ共鳴に関係している。また、ピークＡ２、Ａ３及びＡ４は、ヘルムホルツ共鳴器Ａ内の気柱共鳴（より詳細には、図６中に示す幅Ｌ１の方向の気柱共鳴）に関係する複数のピークのうちの低周波側の３つのピークに相当する。
【００３８】
一方、図７中の隔壁ありの例（実施の形態１のヘルムホルツ共鳴器１２の例）において、ピークＢ１及びＢ２は、隔壁２２による分割後のヘルムホルツ共鳴器１２ａ〜１２ｃによるヘルムホルツ共鳴に関係する２つのピークに相当する。より詳細には、ピークＢ１は、外側の２つのヘルムホルツ共鳴器１２ｂ、１２ｃに関係し、ピークＢ２は、内側のヘルムホルツ共鳴器１２ａに関係している。また、ピークＢ３は、ヘルムホルツ共鳴器１２内の気柱共鳴（より詳細には、図６中に示す幅Ｌ１の方向の気柱共鳴）に関係する複数のピークのうちで最も周波数の低いピークに相当する。
【００３９】
図７中に例示的に示されるように、隔壁２２の設置によって気柱共鳴周波数を高めることは、比較例と比べて、気柱共鳴に起因する音響パワーレベルのピークが生じる周波数を高周波側に移動させられることを意味する。これにより、例えば図７中に示すピークＡ２のように低周波帯域において気柱共鳴に起因して生じる音響パワーレベルのピークを無くせるようになる。このように、隔壁２２の設置により、防音性能の向上（換言すると、気柱共鳴に起因する防音効果の低下抑制）が図れる。また、このように気柱共鳴周波数を高める本手法によれば、隔壁の形状の工夫により、気柱共鳴に起因する音響パワーレベルのピークを人間の可聴域よりも高い周波数帯域にまでシフトさせる防音対策が可能となる。
【００４０】
付け加えると、既述したように、音源部材４からの放射音は、ヘルムホルツ共鳴空間Ｈ内を３次元的に伝播する。（２）式から分かるように、気柱の長さＤが大きいと、気柱共鳴周波数ｆ１が低くなる。一方、図２に示すように、ヘルムホルツ共鳴による防音効果は、周波数が高くなるほど大きくなる特性を有するので、広い周波数帯域において防音効果を得るためには、ヘルムホルツ共鳴周波数ｆ０を低くすることが望ましい。しかしながら、ヘルムホルツ共鳴空間Ｈ内の特定の方向の気柱が長いと、図７中に例示されるように、気柱共鳴によるピークＡ２がヘルムホルツ共鳴によるピークＡ１に近づいてしまうことがある。その結果、ヘルムホルツ共鳴周波数ｆ０に近いためにヘルムホルツ共鳴による防音効果が相対的に低い周波数帯域（図７に示す例では、ピークＡ２付近）において、防音効果を妨げ易くなる。
【００４１】
この点に鑑み、本実施形態では、２つの隔壁２２のそれぞれは、ヘルムホルツ共鳴器１２内において気柱の長さＤが相対的に長くなる幅Ｌ１の方向と垂直な方向に延びるように（換言すると、幅Ｌ１の方向と垂直な面でヘルムホルツ共鳴空間１４を分割するように）形成されている。その結果、相対的に長い（ヘルムホルツ共鳴器１２の例では、最も長い）幅Ｌ１の方向の気柱の長さＤを短縮できるので、当該幅Ｌ１の方向の気柱共鳴周波数を高くすることができる。これにより、低周波数帯域において音響パワーレベルのピーク（例えば、図７中のピークＡ２）を生じさせるような気柱共鳴を無くすことができる。なお、上記の例に代え、複数の隔壁のうちの何れか１つの隔壁のみが、本発明に係る「第１方向」に対して垂直な方向に延びるように形成されてもよい。
【００４２】
１−２−２．２重防振効果
また、実施の形態１のヘルムホルツ共鳴器１２によれば、上述の気柱共鳴周波数の増加の観点だけでなく、次のような２重防振（２重防音）の観点に基づく防音性能の向上効果（音圧低減効果）も得られる。すなわち、ここでいう２重防振効果は、実施の形態１のヘルムホルツ共鳴器１２の例では、図６中に示す幅Ｌ１の方向における放射音の伝播に関して得られる。より詳細には、幅Ｌ１の方向で考えたとき、内側のヘルムホルツ共鳴器１２ａ内に音源部材４から放射された音の一部が当該ヘルムホルツ共鳴器１２ａの外側に伝播したとしても、伝播した音を外側のヘルムホルツ共鳴器１２ｂ又は１２ｃによって吸収できるようになる。また、このような２重防振効果は、上記とは逆に、外側のヘルムホルツ共鳴器１２ｂ又は１２ｃから内側のヘルムホルツ共鳴器１２ａに音が伝播する場合にも同様に得られる。
【００４３】
１−３．実施の形態１に関する変形例
１−３−１．第１の変形例
図８は、本発明の実施の形態１に関する第１の変形例に係るヘルムホルツ共鳴器３０の構成を説明するための模式図である。図８は、図６と同様に、音源部材４の方向から防音カバー１８を見た図である。図８に示すヘルムホルツ共鳴器３０は、隔壁３２の形状が隔壁２２のそれと異なる点において、実施の形態１のヘルムホルツ共鳴器１２と相違している。なお、図５に示す断面形状に関しては、ヘルムホルツ共鳴器３０は、ヘルムホルツ共鳴器１２と同じである。
【００４４】
隔壁３２は、図８に示すように、音源部材４の側から見て円形状を有している。すなわち、隔壁３２は、音源部材４に対向する防音カバー１８の内壁から音源部材４に向けて延びる円筒状に形成されている。ヘルムホルツ共鳴器３０のヘルムホルツ共鳴空間Ｈは、このように形成された隔壁３２によって、２つの領域に分割される。分割された２つの領域は、第２開口部（図示省略）によって互いに連通している。その結果、ヘルムホルツ共鳴器３０は、上記２つの領域のそれぞれをヘルムホルツ共鳴空間Ｈとし、かつ、これらのヘルムホルツ共鳴空間Ｈが互いに連通し合う２つのヘルムホルツ共鳴器３０ａ、３０ｂとして機能するようになる。より詳細には、ヘルムホルツ共鳴器３０ａは、隔壁３２の内周側に位置し、ヘルムホルツ共鳴器３０ｂは、隔壁３２の外周側に位置している。
【００４５】
以上説明したヘルムホルツ共鳴器３０によれば、図６に示すヘルムホルツ共鳴器１２とは異なり、内側のヘルムホルツ共鳴器３０ａの周囲を外側のヘルムホルツ共鳴器３０ｂによって全体的に覆われている。すなわち、内側のヘルムホルツ共鳴器３０ａとその外側のヘルムホルツ共鳴器３０ｂとによる２重構造を有するヘルムホルツ共鳴器が得られる。これにより、実施の形態１のヘルムホルツ共鳴器１２と比べて２重防振効果を効果的に高めることができる。
【００４６】
なお、内側のヘルムホルツ共鳴器３０ａのヘルムホルツ共鳴空間Ｈは、本発明に係る「第１領域」の一例に相当し、外側のヘルムホルツ共鳴器３０ｂのヘルムホルツ共鳴空間Ｈは、本発明に係る「１又は複数の第２領域」の一例に相当する。また、このような２重構造を実現する内壁の形状は、隔壁２２の円形状以外の任意の形状（例えば、多角形）であってもよい。このことは、次の第２の変形例についても同様である。
【００４７】
１−３−２．第２の変形例
図９は、本発明の実施の形態１に関する第２の変形例に係るヘルムホルツ共鳴器４０の構成を説明するための模式図である。図９に示すヘルムホルツ共鳴器４０は、防音カバー１８に代えて、防音カバー４２を備えている。図９は、図８と同様の方向から防音カバー４２を見た図である。
【００４８】
ヘルムホルツ共鳴器４０は、隔壁３２を備える点において図８に示すヘルムホルツ共鳴器３０と共通し、防音カバーの形状においてヘルムホルツ共鳴器３０と相違している。防音カバー４２は、図９に示すように、音源部材４の側から見て円形状を有している。すなわち、防音カバー４２は、音源部材４の側の面が開口した円筒状に形成されている。ヘルムホルツ共鳴器４０も、ヘルムホルツ共鳴器３０と同様に、隔壁３２の内周側に位置するヘルムホルツ共鳴空間Ｈを有するヘルムホルツ共鳴器４０ａと、隔壁３２の外周側に位置するヘルムホルツ共鳴空間Ｈを有するヘルムホルツ共鳴器４０ｂとして機能するようになる。
【００４９】
以上説明したヘルムホルツ共鳴器４０によっても、内側のヘルムホルツ共鳴器４０ａの周囲を外側のヘルムホルツ共鳴器４０ｂによって全体的に覆う２重構造を有するヘルムホルツ共鳴器４０が得られる。このような構成によっても、実施の形態１のヘルムホルツ共鳴器１２と比べて２重防振効果を効果的に高めることができる。
【００５０】
２．実施の形態２
次に、図１０及び図１１を参照して、本発明の実施の形態２について説明する。図１０は、本発明の実施の形態２に係る防音装置５０が備えるヘルムホルツ共鳴器５２の断面図である。図１１は、図１０に示す音源部材４の側から防音カバー１８を見た図である。実施の形態２のヘルムホルツ共鳴器５２は、隔壁の形状及び数において、実施の形態１のヘルムホルツ共鳴器１２と相違している。
【００５１】
具体的には、ヘルムホルツ共鳴器５２は、隔壁５４を備えている。隔壁５４は、図１１に示すように、音源部材４の側から見てハニカム状の断面形状を有している。ヘルムホルツ共鳴空間Ｈの他の例に相当するヘルムホルツ共鳴空間５６は、図１１に示すように、ハニカム状に形成された隔壁５４によって、複数の領域５６ａ〜５６ｍに分割されている。複数の領域５６ａ〜５６ｍは、それぞれ、ヘルムホルツ共鳴空間Ｈとして機能する。そして、隔壁５４と音源部材４との間には、第２開口部５８が形成されている。換言すると、第２開口部５８は、複数の領域５６ａ〜５６ｍを互いに連通させるように隔壁５４に設けられている。
【００５２】
以上説明したヘルムホルツ共鳴器５２によれば、ヘルムホルツ共鳴空間５６が隔壁５４によって細かく分割されたことにより、分割された個々のヘルムホルツ共鳴空間Ｈ内の各方向の気柱の長さＤを効果的に短縮できるようになる。その結果、気柱共鳴周波数を効果的に高周波側にシフトさせられるようになる。このため、防音性能の向上（換言すると、気柱共鳴に起因する防音効果の低下抑制）が図れる。
【００５３】
また、ハニカム形状の隔壁５４の利用により、実施の形態１のヘルムホルツ共鳴空間１４と比べて、より細かくヘルムホルツ共鳴空間５６が分割されている。これにより、隔壁５４を介して隣接し合う個々のヘルムホルツ共鳴空間Ｈで２重又はそれ以上の多重の防振効果が得られる。このため、防音装置５０の防音性能を効果的に高めることができる。
【００５４】
より詳細には、このハニカム形状の例においても、中央の３つの領域（ヘルムホルツ共鳴空間Ｈ）５６ｆ、５６ｇ、５６ｈに関しては、図９及び図１０に示す例と同様に、それらの周囲を外側の領域（ヘルムホルツ共鳴空間Ｈ）５６ａ等によって全体的に覆う２重構造が得られている。この点において、２重防振効果を効果的に高めることができる。なお、図１１に示す例においては、中央の３つの領域５６ｆ、５６ｇ、５６ｈは、本発明に係る「第１領域」の他の例に相当する。そして、領域５６ｆを第１領域として着目した場合、領域５６ａ、５６ｂ、５６ｇ、５６ｋ、５６ｊ、５６ｅは、本発明に係る「１又は複数の第２領域」の他の例に相当する。他の領域５６ｇ、５６ｈを第１領域として着目した場合についても、同様であるため、その説明を省略する。
【００５５】
３．実施の形態３
次に、図１２及び図１３を参照して、本発明の実施の形態３について説明する。図１２は、本発明の実施の形態３に係る防音装置６０が備えるヘルムホルツ共鳴器６２の断面図である。図１３は、図１２に示す音源部材４の側から防音カバー１８を見た図である。実施の形態３のヘルムホルツ共鳴器６２は、隔壁の間隔、数及び設置場所において、実施の形態１のヘルムホルツ共鳴器１２と相違している。
【００５６】
具体的には、ヘルムホルツ共鳴器６２は、平板状の３つの隔壁６４（６４ａ〜６４ｃ）を備えている。３つの隔壁６４のうち、２つの隔壁６４ａ、６４ｂは、図６に示す隔壁２２と同様に、防音カバー１８の幅Ｌ１の方向と垂直な方向に延びるように形成されている。ただし、これらの隔壁６４ａ、６４ｂは、設置間隔において隔壁２２と異なっている。一例として、図１３に示すように、一方の隔壁６４ａとこれに対向する防音カバー１８の内壁との距離Ｄ１は、この隔壁６４ａと他方の隔壁６４ｂとの距離Ｄ２よりも短い。また、距離Ｄ２は、他方の隔壁６４ｂとこれに対向する防音カバー１８の内壁との距離Ｄ３よりも短い。
【００５７】
また、残りの隔壁６４ｃは、音源部材４の側から見て、他の隔壁６４ａ、６４ｂと垂直な方向に延びるように形成されている。隔壁６４ｃを追加的に備えることにより、ヘルムホルツ共鳴空間６６を、実施の形態１と比べてより細かな複数の領域６６ａ〜６６ｆに分割することができる。複数の領域６６ａ〜６６ｆは、それぞれ、ヘルムホルツ共鳴空間Ｈとして機能する。そして、隔壁６４と音源部材４との間には、第２開口部６８が形成されている。換言すると、第２開口部６８は、複数の領域６６ａ〜６６ｆを互いに連通させるように隔壁６４に設けられている。
【００５８】
以上説明したヘルムホルツ共鳴器６２によれば、実施の形態１のヘルムホルツ共鳴器１２と同様に、上述した気柱共鳴周波数の増加効果と２重防振効果とが得られる。そのうえで、ヘルムホルツ共鳴器６２によれば、次のような効果も得られる。
【００５９】
（不等間隔での隔壁の設置に関係する効果）
図１４（Ａ）及び図１４（Ｂ）は、隔壁６４ａと隔壁６４ｂとを不等間隔で設置したことによる効果を説明するためのグラフである。図１４（Ａ）は、実施の形態３との対比のために参照する比較例と対応している。この比較例は、例えば図６に示すヘルムホルツ共鳴空間１４ｂ、１４ｃの例のように、同じサイズの２つのヘルムホルツ共鳴空間Ｈを備える例を指している。図１４（Ａ）中の破線で示す波形は、この比較例の個々のヘルムホルツ共鳴空間Ｈにおいて気柱共鳴に起因して生じる音響パワーレベルのピークを示している。これら２つのヘルムホルツ共鳴空間Ｈでは、サイズが同じであるため、気柱共鳴に起因する音響パワーレベルのピークは同じ気柱共鳴周波数において発生する。その結果、同図中に実線で示す波形のように、２つの破線の波形の合成によってピークが増幅する。
【００６０】
一方、図１４（Ｂ）は、実施の形態３と対応している。ヘルムホルツ共鳴器６２では、隔壁６４ａと隔壁６４ｂとが上述のように不等間隔で設置されている。このため、例えば領域６６ｄと領域６６ｆを比較した場合、両者の気柱共鳴周波数（より詳細には、図１３中の幅Ｌ１の方向の気柱共鳴に関する）は、互いに異なるものとなる。その結果、図１４（Ｂ）に破線で示す波形のように、両者の音響パワーレベルのピークが生じる周波数が異なるものとなる。このため、同図中に実線で示す波形のように、ピークの低減（ピークの増幅抑制）が図れる。
【００６１】
以上のように、隔壁６４ａと隔壁６４ｂとを不等間隔で設置することによって、対策すべき方向（図１３に示す例では、幅Ｌ１の方向）の各気柱共鳴の周波数が分散される。この気柱共鳴周波数の分散により、音響パワーレベルの低減効果（防音効果）の向上が図れる。なお、不等間隔での隔壁の設置による気柱共鳴周波数の分散のために、ヘルムホルツ共鳴器６２の例に代え、３つ以上の隔壁が用いられてもよい。
【００６２】
４．実施の形態４
次に、図１５を参照して、本発明の実施の形態４について説明する。図１５は、本発明の実施の形態４に係る防音装置７０が備えるヘルムホルツ共鳴器７２の断面図である。実施の形態４のヘルムホルツ共鳴器７２は、次の点において、実施の形態２のヘルムホルツ共鳴器５２と相違している。
【００６３】
すなわち、実施の形態２では、図１０に示すように隔壁５４の高さ（換言すると、第２開口部５８の大きさ）が部位によらずに一定であるヘルムホルツ共鳴器５２が例示された。これに対し、ヘルムホルツ共鳴器７２が備える隔壁７４の各部位の高さは、一例として図１５に示すように異なっている。より詳細には、図１５に示す一例では、防音カバー１８内の中央側に位置する部位７４ｂ、７４ｃの高さｈ１は、それらに隣り合う部位７４ａ、７４ｄの高さｈ２よりも低くなっている。その結果、第２開口部７６は、中央側の部位７６ｂ、７６ｃの方がそれらに隣り合う部位７６ａ、７６ｄよりも大きくなっている。
【００６４】
図１５を例示して説明したように、本発明に係るヘルムホルツ共鳴器に用いられる隔壁の高さ（第２開口部の大きさ）は、部位によらずに一定でなくてもよく、部位によって異なっていてもよい。付け加えると、図１４（Ａ）、１４（Ｂ）を参照して説明したような気柱共鳴周波数の分散のために、隔壁の高さ（第２開口部の大きさ）が適宜変更されてもよい。
【００６５】
５．実施の形態５
次に、図１６を参照して、本発明の実施の形態５について説明する。図１６は、本発明の実施の形態５に係る防音装置８０が備えるヘルムホルツ共鳴器８２の断面図である。実施の形態５のヘルムホルツ共鳴器８２は、次の点において、実施の形態１のヘルムホルツ共鳴器１２と相違している。
【００６６】
すなわち、図１６に示すように、ヘルムホルツ共鳴器８２は、平板状の２つの隔壁８４を備えている。これらの隔壁８４は、既述した各例とは異なり、防音カバー１８ではなく音源部材４から防音カバー１８に向けて突出するように形成されている。そして、それぞれの隔壁８４と防音カバー１８との間には、第２開口部８６が形成されている。換言すると、第２開口部８６は、ヘルムホルツ共鳴空間Ｈの他の例に相当するヘルムホルツ共鳴空間８８を３つの領域８８ａ〜８８ｃを互いに連通させるように隔壁８４に設けられている。
【００６７】
図１６を例示して説明したように、本発明に係るヘルムホルツ共鳴器に用いられる隔壁は、ヘルムホルツ共鳴空間Ｈを形成する壁部のうちの音源部材以外の部位（例えば、防音カバー１８）に代え、音源部材自体に設けられてもよい。また、隔壁は、「音源部材以外の部位」と音源部材の双方に設けられてもよい。付け加えると、隔壁として、例えば、音源部材に既存のリブが利用されてもよい。
【００６８】
６．他の実施の形態（ヘルムホルツ共鳴器の基本形状の他の例）
上述した実施の形態１〜５、並びに第１及び第２の変形例においては、音源部材４に対向する底部が開口した直方体形状を有する防音カバー１８（又は円筒形状の防音カバー４２）と、ヘルムホルツ共鳴空間Ｈの壁部（壁部１６等）の一面を構成する音源部材４と、防音カバー１８等の縁部と音源部材４との隙間を利用する第１開口部２０とを備えるヘルムホルツ共鳴器１２等が例示された。しかしながら、本発明の対象となるヘルムホルツ共鳴器の基本形状（例えば、壁部（防音カバー及び音源部材）の形状、並びに、第１開口部の位置及び数）の他の例は、以下に図１７〜図２５を参照して説明する例を含む。
【００６９】
なお、次の図１７〜図２５に示す各構成において説明が省略された構成については、実施の形態１〜５と同様であるものとする。また、以下の各構成においてヘルムホルツ共鳴空間Ｈを複数に分割するために用いられている「隔壁」は、一例として実施の形態１の隔壁２２と同様である。このため、説明の便宜上、各構成の隔壁を実施の形態１と同様に「隔壁２２」と称している。また、以下の各例においても、「第２開口部」は、隔壁２２と各音源部材との隙間を利用して形成されている。
【００７０】
図１７は、本発明に係る他のヘルムホルツ共鳴器９０の構成を模式的に表した断面図である。ヘルムホルツ共鳴器９０は、第１開口部の位置において、実施の形態１のヘルムホルツ共鳴器１２と相違している。すなわち、この例では、第１開口部９２は、音源部材４と対向する防音カバー９４の一面に設けられている。
【００７１】
図１８は、本発明に係る他のヘルムホルツ共鳴器１００の構成を模式的に表した断面図である。ヘルムホルツ共鳴器１００は、防音カバーの形状及び第１開口部の位置において、実施の形態１のヘルムホルツ共鳴器１２と相違している。すなわち、この例では、防音カバー１０２は、音源部材４の側において開口した半球形状を有している。そして、第１開口部１０４は、音源部材４と対向する防音カバー１０２の部位に設けられている。
【００７２】
図１９は、本発明に係る他のヘルムホルツ共鳴器１１０の構成を模式的に表した断面図である。ヘルムホルツ共鳴器１１０は、図１８に示す例と同様に、半球形状の防音カバー１１２を備えている。この例では、第１開口部１１４は、実施の形態１と同様に、防音カバー１１２の縁部１１２ａと音源部材４との隙間を利用して形成されている。
【００７３】
図２０は、本発明に係る他のヘルムホルツ共鳴器１２０の構成を模式的に表した断面図である。ヘルムホルツ共鳴器１２０は、ヘルムホルツ共鳴空間Ｈを形成する壁部として利用する音源部材の面の数において、実施の形態１のヘルムホルツ共鳴器１２と相違している。すなわち、この例では、共鳴空間Ｈを形成する壁部１２２は、音源部材１２４と防音カバー１２６とによって構成されており、かつ、壁部１２２の二面が音源部材１２４を利用して形成されている。防音カバー１２６は、一例として、図２０中に示すようなＬ字の断面形状で同図の紙面に垂直な方向に延びるように形成され、かつ、紙面に垂直な方向における防音カバー１２６のそれぞれの端部は防音カバー１２６の他の部位（図示省略）によって塞がれているものとする。第１開口部１２８は、音源部材の一面と対向する防音カバー１２６の一面に設けられている。
【００７４】
図２１は、本発明に係る他のヘルムホルツ共鳴器１３０の構成を模式的に表した断面図である。ヘルムホルツ共鳴器１３０は、第１開口部の位置において、図２０に示すヘルムホルツ共鳴器１２０と相違している。すなわち、この例では、第１開口部１３２は、防音カバー１３４の縁部１３４ａとこれに対向する音源部材１２４との隙間、及び、縁部１３４ｂとこれに対向する音源部材１２４との隙間を利用して形成されている。
【００７５】
図２２は、本発明に係る他のヘルムホルツ共鳴器１４０の構成を模式的に表した断面図である。このヘルムホルツ共鳴器１４０の例では、共鳴空間Ｈを形成する壁部１４２は、音源部材１４４と防音カバー１４６とによって構成されており、かつ、壁部１４２の三面が音源部材１４４を利用して形成されている。防音カバー１４６は、一例として、図２２中に示すような断面形状（平板形状）で同図の紙面に垂直な方向に延びるように形成され、かつ、紙面に垂直な方向における防音カバー１４６のそれぞれの端部は防音カバー１４６の他の部位（図示省略）によって塞がれているものとする。第１開口部１４８は、音源部材の一面と対向する防音カバー１２６の一面（最大面）に設けられている。
【００７６】
図２３は、本発明に係る他のヘルムホルツ共鳴器１５０の構成を模式的に表した断面図である。ヘルムホルツ共鳴器１５０は、第１開口部の位置において、図２２に示すヘルムホルツ共鳴器１４０と相違している。すなわち、この例では、第１開口部１５２は、防音カバー１５４の縁部１５４ａとこれに対向する音源部材１４４との隙間、及び、縁部１５４ｂとこれに対向する音源部材１４４との隙間を利用して形成されている。
【００７７】
図２４は、本発明に係る他のヘルムホルツ共鳴器１６０の構成を模式的に表した断面図である。ヘルムホルツ共鳴器１６０は、音源部材と防音カバーとの接合の仕方において、図２２に示すヘルムホルツ共鳴器１４０と相違している。すなわち、この例では、防音カバー１６２は、防音カバー１６２に向けて突出する音源部材１６４の二面のそれぞれの縁部１６４ａ、１６４ｂの上に設置されている。そして、第１開口部１６６は、音源部材１６４の一面と対向する防音カバー１６２の一面（最大面）に設けられている。
【００７８】
図２５は、本発明に係る他のヘルムホルツ共鳴器１７０の構成を模式的に表した断面図である。ヘルムホルツ共鳴器１７０は、第１開口部の位置において、図２４に示すヘルムホルツ共鳴器１６０と相違している。すなわち、この例では、第１開口部１７２は、音源部材１６４の縁部１６４ａとこれに対向する防音カバー１７４との隙間、及び、縁部１６２ｂとこれに対向する防音カバー１７４との隙間を利用して形成されている。
【００７９】
さらに付け加えると、図示は省略されるが、ヘルムホルツ共鳴空間Ｈを形成する壁部として利用する音源部材の面の数は、上述の例に代え、四面以上であってもよいし、或いは、当該壁部の全体が音源部材によって構成されてもよい。また、ヘルムホルツ共鳴空間Ｈを複数の領域に分割するために設けられる隔壁の数は、複数の例に限られず、１つ（例えば、１枚の平板）であってもよい。
【００８０】
以上説明した各実施の形態に記載の例及び他の各変形例は、明示した組み合わせ以外にも可能な範囲内で適宜組み合わせてもよいし、また、本発明の趣旨を逸脱しない範囲で種々変形してもよい。
【符号の説明】
【００８１】
１、１２、３０、４０、５２、６２、７２、８２、９０、１００、１１０、１２０、１３０、１４０、１５０、１６０、１７０  ヘルムホルツ共鳴器
２、１４、５６、６６、８８  ヘルムホルツ共鳴空間
３、１８、４２、９４、１０２、１１２、１２６、１３４、１４６、１５４、１６２、１７４  防音カバー
４、１２４、１４４、１６４  音源部材
５  開口部
１０、５０、６０、７０、８０  防音装置
１６、１２２、１４２  ヘルムホルツ共鳴空間Ｈを形成する壁部
２０、９２、１０４、１１４、１２８、１３２、１４８、１５２、１６６、１７２  第１開口部
２２、３２、５４、６４、７４、８４  隔壁
２４、５８、６８、７６、８６  第２開口部
【図１】
2020109451.tif 000005
【図２】
2020109451.tif 000006
【図３】
2020109451.tif 000007
【図４】
2020109451.tif 000008
【図５】
2020109451.tif 000009
【図６】
2020109451.tif 000010
【図７】
2020109451.tif 000011
【図８】
2020109451.tif 000012
【図９】
2020109451.tif 000013
【図１０】
2020109451.tif 000014
【図１１】
2020109451.tif 000015
【図１２】
2020109451.tif 000016
【図１３】
2020109451.tif 000017
【図１４】
2020109451.tif 000018
【図１５】
2020109451.tif 000019
【図１６】
2020109451.tif 000020
【図１７】
2020109451.tif 000021
【図１８】
2020109451.tif 000022
【図１９】
2020109451.tif 000023
【図２０】
2020109451.tif 000024
【図２１】
2020109451.tif 000025
【図２２】
2020109451.tif 000026
【図２３】
2020109451.tif 000027
【図２４】
2020109451.tif 000028
【図２５】
2020109451.tif 000029